(57)【要約】      （修正有）【課題】半開放しても覗見されることのない防犯効果上優れたサッシを提供する。【解決手段】格子枠７と該格子枠７に並べて組付けた縦格子８，８´とで面格子３を構成する。そして、内外の障子２，２´で閉塞する窓枠１の開口部を取り囲む前記格子枠７を該窓枠１の屋外端側に密接させるようにして、前記面格子３を窓枠１に着脱自在に組付ける。面格子３の前記縦格子８，８´より屋内側に前記開口部を閉塞する防虫網１１を張設すると共に、左右の縦枠３ｃ，３ｃと前記縦格子８，８´中の少くも該縦枠３ｃに隣接する縦格子８との間の通気空間を不透明パネル９で閉塞する。【選択図】図２
2004316083.tif 000002
【特許請求の範囲】
【請求項１】
格子枠と該格子枠に並設した縦格子とで構成した面格子を窓枠に、内外の障子で閉塞する該窓枠の開口部を取り囲む前記格子枠を該窓枠の屋外端側に密接させて組付け、左右の縦枠と前記縦格子中の少くも該縦枠に隣接する縦格子との間の通気空間を不透明パネルで閉塞した、面格子付引違いサッシ。
【発明の詳細な説明】
【０００１】
【産業上の利用分野】
本発明は格子付引違いサッシに関するものである。
【０００２】
【従来の技術】
窓枠に面格子をブラケットを介して組付けた構成のものがある（例えば、特許文献１参照）。また、面格子より屋内側に網戸を配して窓枠に組付けた構成のものもある（例えば、特許文献２参照）。
【０００３】
【特許文献１】
特開平８−３１２２６５号公報（第２頁、図１）
【特許文献１】
特開２０００−２０５９号公報（第１１、１２頁、図５乃至図７）
【０００４】
【発明が解決しようとする課題】
従来の、ブラケットを介して面格子を窓枠に組付けて構成したもの（特許文献１記載のもの）は、防犯機能的には満足できるものであるが、防虫網を備えていないので防虫対策上不都合があり、このため、特許文献２に記載のように網戸を設けてそれに対応することができるが、いずれにしても、屋内の換気操作時に、引違いの両障子を半開放する際には、該半開放部を通じて屋内を覗き見されることがあり、当該サッシが集合住宅の廊下に面している場合等に殊に、不都合がある。
【０００５】
【課題を解決するための手段】
格子枠と該格子枠に並設した縦格子とで構成した面格子を窓枠に、内外の障子で閉塞する該窓枠の開口部を取り囲む前記格子枠を該窓枠の屋外端側に密接させて組付け、左右の縦枠と前記縦格子中の少くも該縦枠に隣接する縦格子との間の通気空間を不透明パネルで閉塞した、構成とする。
【０００６】
【発明の実施の形態】
図面は本発明に係る面格子付引違いサッシの一実施形態を示し、図１は縦断面図、図２は横断面図、図３は外れ止め装置部の断面図、図４は図３の平面図、図５は各部の配置関係を示す面格子の正面図である。
【０００７】
実施形態の面格子付引違いサッシは、互いに引違う屋内外の障子２，２´を組込んだ窓枠１の屋外端側に面格子３を着脱自在に組付けて構成したものである。
【０００８】
前記障子２，２´は外障子２の下框２ｂに設けた規制装置５の規制部片５ａを内障子２´の走行路上に突出させることによって引違い移動が規制され、その規制位置にまで内外障子２，２´の一方又は双方を窓枠１の縦枠１ｃ，１ｃから相対的に離開させることによって半開放状態を得られ、かつ、該半開放状態以上には開放できないようにしてある。そして、実施形態の場合は、前記規制装置を機能させて、両障子２，２´を縦枠１ｃ，１ｃから離開させたときの半開き状態時には、前記面格子３の縦枠７ｃ，７ｃと該縦枠７ｃに隣接する縦格子８との離開幅ａとほぼ同等の隙間幅ｂ分、両障子２，２´と窓縦枠１ｃ，１ｃとの間に隙間が生じるようにしてある。
【０００９】
面格子３は上下枠７ａ，７ｂおよび左右の縦枠７ｃ，７ｃで成る格子枠７に縦格子８，８´を前記上下枠７ａ，７ｂに渡すようにして並設し、該縦格子８，８´より屋内側にはビード１０によって四周を前記格子枠７に止着するようにして前記窓枠１の開口部を閉塞する防虫網１１を張設して構成したもので、屋外側に偏して配した前記縦格子８，８´中の、左右の縦枠７ｃ，７ｃに隣接する縦格子８とそれに対応する当該縦枠７ｃとの間の通気空間を、すなわち、前記離開幅ｂを備えた通気空間を不透明パネル９で閉塞してある。
【００１０】
不透明パネル９は、実施形態では樹脂パネルを用いているがガラスパネルでも良く、要は、屋外側から透視できない不透明パネルであれば良い。
【００１１】
そして、面格子３は、格子枠７の上枠７ａに設けた断面Ｌ字形の屋内端部片７ａ´と上枠７ａ本体とで構成する上面開口の係合溝１３に窓枠１の上枠１ａの屋外端部片１ａ´を係合する一方、格子枠７の下枠７ｂの屋内端側下面に突設した屋内端部片７ｂ´を窓枠１の下枠１ｂの屋外端部片１ｂ´に屋内外方向に係止するようにして（しかも、縦枠７ｃ，７ｃは窓枠１の縦枠１ｃ，１ｃの屋外端面に重合させて）、所謂けんどん式にして窓枠１に組付け、該面格子３の格子枠７によって窓枠１で構成する開口部（障子２，２´で開閉する）を取り囲み、格子枠７と窓枠１を密接させるように配したものである。
【００１２】
因みに、格子枠７を窓枠１に密接させるとは、実施形態の場合は、格子枠７の内部に防虫網１１を装置したものであるから、該防虫網１１の効果を期待するには格子枠７と窓枠１との間を通じて虫が侵入できない程度に密接させてあることを意味するが、斯様な防虫効果を無視した場合は、格子枠７と窓枠１との間を通じて覗き見されない程度の密接度であれば良く、厳密な意味での「密接」は要しない。格子枠７の存在は、面格子の周端と窓枠との間の間隙を通じての覗き見を防止するという点で意味があるものである（格子枠７を省略すると、格子と窓枠との間には覗き見に充分な隙間が生じることは想像できるところである）。
【００１３】
面格子３の窓枠１に対する組付け状態は外れ止め装置１４によって維持される。外れ止め装置１４は、格子枠７の上枠７ａの見付け（長手）方向の両側に予めビス止めした装置基板１４ａに設けたねじ孔に外れ止め片１４ｂに設けた縦長の長孔を通じて締付けねじ１４ｃを螺合しておき、窓枠１に対して面格子３を格子枠７において前記の通りけんどん式に組付けた後、前記長孔を利用して外れ止め片１４ｂを上昇させてその上端を窓枠上枠１ａの屋内端部片１ａ´に近接位置に配して締付けねじ１４ｃを締付け、当該外れ止め片１４ｂを上昇位置において定置させることによって機能させることができる。すなわち、窓枠１に対して面格子３をけんどん式に組付ける際、外れ止め片１４ｂを降下位置に配し、組付け後は外れ止め片１４ｂを上昇位置に配することによってけんどん操作を規制して面格子３の窓枠１に対する組付け状態を維持させるのである。
【００１４】
図示３０は格子枠７の縦枠７ｃ端部の樹脂製塞ぎ材である。
【００１５】
【発明の効果】
本発明は、前記の通りの構成であるから、面格子付引違いサッシの本来の機能である防犯効果は期待できることは勿論、換気に際して障子を半開放する際、少くも窓枠の両側は、面格子側に配した不透明パネルによって屋内外を視覚的に遮断できるから屋外を気にせずに換気操作を行うことができ、殊に、集合住宅の廊下側に用いるに好適なサッシを提供できる。
【図面の簡単な説明】
【図１】縦断面図。
【図２】横断面図。
【図３】外れ止め装置部の断面図。
【図４】図３の平面図。
【図５】各部の配置関係を示す面格子の正面図
【符号の説明】
１          窓枠
２          外障子
２´        内障子
３          面格子
７          格子枠
８，８´    縦格子
９          不透明パネル
【図１】
2004316083.tif 000003
【図２】
2004316083.tif 000004
【図３】
2004316083.tif 000005
【図４】
2004316083.tif 000006
【図５】
2004316083.tif 000007